(57)【要約】【課題】本発明は魚釣用リールに関し、トラバースカム軸のカム溝に係合する係合爪の補強を図りつつ係合爪の大型化を防止して、釣糸平行巻き機構の良好な往復動機能を確保した魚釣用リールを提供することを目的とする。【解決手段】リール本体に装着されたハンドルの巻取り操作に連動して回転するトラバースカム軸と、当該トラバースカム軸のカム溝に係合する係合爪を保持する摺動子とを具備し、トラバースカム軸の回転に伴い、摺動子がトラバースカム軸上を往復動してリール本体に支持したスプールに釣糸を均一に巻回させる釣糸平行巻き機構を備え、上記係合爪を、前記カム溝に係合する爪部と摺動子に保持される保持部とで形成した魚釣用リールに於て、上記カム溝に沿った爪部の前端部と後端部を、中心部に比し肉厚としたことを特徴とする。【選択図】      図４
2004236595.tif 000002
【特許請求の範囲】
【請求項１】
リール本体に装着されたハンドルの巻取り操作に連動して回転するトラバースカム軸と、当該トラバースカム軸のカム溝に係合する係合爪を保持する摺動子とを具備し、トラバースカム軸の回転に伴い、摺動子がトラバースカム軸上を往復動してリール本体に支持したスプールに釣糸を均一に巻回させる釣糸平行巻き機構を備え、
上記係合爪を、前記カム溝に係合する爪部と摺動子に保持される保持部とで形成した魚釣用リールに於て、
上記カム溝に沿った爪部の前端部と後端部を、中心部に比し肉厚としたことを特徴とする魚釣用リール。
【発明の詳細な説明】
【０００１】
【発明の属する技術分野】
本発明は、レベルワインド機構やトラバース機構等の釣糸平行巻き機構を備えた魚釣用リールに関する。
【０００２】
【従来の技術】
従来周知のように、魚釣用リールには、スプールに釣糸を均一に巻回させるレベルワインド機構やトラバース機構等の「釣糸平行巻き機構」が装着されている。
そして、一般にキャスティングリールや船釣用リール等の魚釣用リールには、レベルワインド機構がスプール前方のリール本体の側板間に装着されている。
【０００３】
このレベルワインド機構は、ハンドルの巻取り操作によるスプールの回転に同期して回転するトラバースカム軸と、当該トラバースカム軸のカム溝に係合する係合爪を保持する摺動子と、当該摺動子に設けたラインガイドとで構成されており、トラバースカム軸の回転に伴い、摺動子がトラバースカム軸上を往復動してスプールに釣糸を均一に巻回するようになっている（例えば、下記の特許文献１参照。）。
【０００４】
また、スピニングリールにあっては、ロータの回転に連動してスプールを前後方向へ往復動させるトラバース機構がリール本体に装着されており、ハンドルの巻取り操作に伴いロータが回転して、前後方向へ往復動するスプールに釣糸が均一に巻回されるようになっている。
このトラバース機構も、駆動歯車を介してハンドル操作に連動回転するトラバースカム軸と、当該トラバースカム軸のカム溝に係合する係合爪を保持する摺動子とで構成されており、ハンドルの巻取り操作でトラバースカム軸が回転すると、これに伴い摺動子がトラバースカム軸上を往復動して、摺動子に連結されたスプール軸を介してスプールがリール本体の前後方向へ往復動するようになっている（例えば、下記の特許文献２参照。）。
【０００５】
そして、特許文献１，２に開示されるように前記係合爪は、カム溝に係合する爪部と摺動子に保持される保持部とで形成され、爪部は保持部から扁平薄板状に突設されている。
【特許文献１】
実開昭５８−９６７８６号公報（第１頁−第２頁、第２図）
【特許文献２】
実開昭６２−１０７６３号公報（第１頁−第２頁、第１図）
【０００６】
【発明が解決しようとする課題】
しかし乍ら、上述したように、従来、係合爪の爪部は保持部から扁平薄板状に形成された構造上、強度的に十分なものとはいえず、このため、例えば誤って地面に魚釣用リールを落下させてしまって外部から衝撃が加わると（スピニングリールにあってはスプール、また、両軸リールにあってはレベルワインド機構に衝撃が加わると）、爪部が変形して摺動子の往復動に異常（重くなったり異音発生等）が発生したり、爪部が折損して往復動装置として機能しなくなる虞が指摘されていた。
【０００７】
本発明は斯かる実情に鑑み案出されたもので、上述した爪部の補強を図りつつ係合爪の大型化を防止して、釣糸平行巻き機構の良好な往復動機能を確保した魚釣用リールを提供することを目的とする。
【０００８】
【課題を解決するための手段】
斯かる目的を達成するため、請求項１に係る魚釣用リールは、リール本体に装着されたハンドルの巻取り操作に連動して回転するトラバースカム軸と、当該トラバースカム軸のカム溝に係合する係合爪を保持する摺動子とを具備し、トラバースカム軸の回転に伴い、摺動子がトラバースカム軸上を往復動してリール本体に支持したスプールに釣糸を均一に巻回させる釣糸平行巻き機構を備え、上記係合爪を、前記カム溝に係合する爪部と摺動子に保持される保持部とで形成した魚釣用リールに於て、上記カム溝に沿った爪部の前端部と後端部を、中心部に比し肉厚としたことを特徴とする。
【０００９】
（作用）
請求項１に係る発明によれば、トラバースカム軸のカム溝に係合する係合爪の爪部は、カム溝に沿ったその前端部と後端部が中心部に比し肉厚に形成されて補強が図られているため、例えば誤って地面に魚釣用リールを落下させてスプールやトラバース機構に衝撃が加わっても、爪部の変形や折損が防止される。
【００１０】
而も、爪部を補強するに当たり、爪部全体を肉厚化せずにその前，後端部側のみを肉厚に形成したことで、係合爪の大型化も併せて防止できることとなる。
【００１１】
【発明の実施の形態】
以下、本発明の実施形態を図面に基づいて詳細に説明する。
【００１２】
図１乃至図５は請求項１に係る発明をスピニングリールに適用した一実施形態を示し、図１に於て、１は軸受３，５を介してリール本体７の前部に回転可能に支持された中空なフライヤ軸で、その先端にロータ９がナット１１で固定されている。そして、フライヤ軸１の後端側外周に設けたピニオン１３にハンドル軸１５に装着した駆動歯車１７が噛合しており、ハンドル１９の巻取り操作でロータ９が駆動歯車１７とフライヤ軸１を介して釣糸巻取り方向へ回転するように構成されている。
【００１３】
そして、ロータ９の基部には一対の支持アーム２１がリール本体７の前方方向に一体成形されており、両支持アーム２１の先端に、半環状のベール２３がベールアーム２５とベールホルダー（図示せず）を介して釣糸巻取位置と釣糸放出位置へ、夫々、反転自在に取り付けられている。
また、図１中、２７はフライヤ軸１を挿通してリール本体７に取り付くスプール軸で、スプール軸２７のロータ側突出端にスプール２９が取り付き、スプール軸２７の後端側にトラバース機構３１が装着されている。
【００１４】
図２に示すようにトラバース機構３１は、軸受３３，３５を介してリール本体７にスプール軸２７と平行に支持されたトラバースカム軸３７と、図３の如くトラバースカム軸３７の外周面に形成されたカム溝３９に爪部４１が係合する係合爪４３を保持した摺動子４５とで構成されており、カム溝３９は右ネジと左ネジとで形成されている。そして、摺動子４５に、スプール軸２７の後端部がビス４７で固定されている。
【００１５】
そして、トラバースカム軸３７の前端部に固着された従動歯車４９が前記ピニオン１３に噛合しており、ベール２３を釣糸巻取位置側へ倒してハンドル操作でロータ９を巻取り方向へ回転させると、ピニオン１３，従動歯車４９を介してトラバースカム軸３７が回転し、これに伴いカム溝３９に係合する係合爪４３を保持する摺動子４５がカム溝３９に沿ってトラバースカム軸３７上を往復動するため、当該摺動子４５に連結されたスプール軸２７によりスプール２９がリール本体７の前後方向へトラバース運動して、スプール２９の釣糸巻回胴部５１に釣糸（図示せず）が均一に巻回されるようになっている。
【００１６】
而して、本実施形態に係るスピニングリール５３は、上述の如き従来と同様の構成に加え、爪部４１の変形や折損を防止して長期に亘るトラバース機構３１の良好な機能を維持することを目的として、以下の如き特徴を有する。
図４は係合爪４３の全体斜視図を示し、従来と同様、係合爪４３はカム溝３９に係合する爪部４１と、摺動子４５に保持される保持部５５とで一体に構成されており、図３の如く保持部５５は円柱状に形成されて、その中心軸５７を中心に矢印方向へ回動可能に摺動子４５に保持されている。
【００１７】
一方、図３及び図４に示すように爪部４１は、その先端中央にカム溝３９の底部に沿った湾曲部５９が形成されると共に、その前後（カム溝３９に沿った爪部４１の前側と後側）に断面略台形形状の傾斜部６１が連設されており、これらはカム溝３９に係合する。
更に、爪部４１は、カム溝３９に沿ったその前端部４１ａと後端部４１ｂが、前記傾斜部６１から保持部５５方向に順次肉厚に形成されると共に、爪部４１の中心部４１ｃから前，後端部４１ａ，４１ｂ方向に順次肉厚に形成されて、図５に示すように爪部４１は、係合するカム溝３９に沿って恰も中央が窪んだ断面凹レンズの如き断面形状となっている。
【００１８】
本実施形態に係るスピニングリール５３はこのように構成されているから、ベール２３を釣糸巻取位置側へ倒してハンドル操作でロータ９を巻取り方向へ回転させると、ピニオン１３，従動歯車４９によりトラバースカム軸３７が回転し、これに伴いカム溝３９に係合する係合爪４３を保持する摺動子４５がカム溝３９に沿ってトラバースカム軸３７上を往復動するため、当該摺動子４５に連結されたスプール軸２７によりスプール２９がリール本体７の前後方向へトラバース運動して、スプール２９の釣糸巻回胴部５１に釣糸が均一に巻回される。
【００１９】
そして、既述したようにカム溝３９に係合する係合爪４３の爪部４１は、カム溝３９に沿ってその前端部４１ａと後端部４１ｂが、傾斜部６１から保持部５５方向に順次肉厚に形成されると共に、爪部４１の中心部４１ｃから前，後端部４１ａ，４１ｂ方向に順次肉厚に形成されて補強が図られているため、例えば誤って地面にスピニングリール５３を落下させてスプール２９に衝撃が加わっても、爪部４１の変形や折損が防止される。
【００２０】
而も、爪部４１を補強するに当たり、爪部４１全体を肉厚化せずにその前，後端部４１ａ，４１ｂ側のみを肉厚に形成したことで、係合爪４３の大型化も併せて防止される。
このように本実施形態によれば、係合爪４３の大型化の防止を図り乍ら爪部４１の補強が図られ、外部から衝撃が加わっても爪部の変形や折損等による不具合を確実に防止することができるので、トラバース機構３１の常時安定した往復動機能を確保することが可能である。
【００２１】
尚、図４及び図５に示すように上記実施形態は、カム溝３９に沿った爪部４１の前端部４１ａと後端部４１ｂを、傾斜部６１から保持部５５方向に順次肉厚に形成すると共に、爪部４１の中心部４１ｃから前，後端部４１ａ，４１ｂ方向に順次肉厚に形成して、爪部４１を恰も中央が窪んだ断面凹レンズの如き形状としたが、爪部の補強を図るに当たり、図６の如く爪部４１−１の前端部４１−１ａと後端部４１−１ｂの基部のみにアール大とした補強用肉厚部（図中のハッチング部）６３，６５を設けて、図５の如き連続肉厚としない補強構造としてもよい。
【００２２】
そして、その他の構成は図１の実施形態と同様であるので、同一のものには同一符号を付してそれらの説明は省略する。
而して、この実施形態によっても、係合爪４３−１の大型化の防止を図り乍ら、爪部４１−１の補強が可能となり、トラバース機構の常時安定した往復動機能を確保することが可能となる。
【００２３】
ところで、既述した各実施形態は、本発明をスピニングリールのトラバース機構に適用したが、本発明は、両軸受型リール等に装着するレベルワインド機構の係合爪にも適用することが可能である。
【００２４】
【発明の効果】
以上述べたように、請求項１に係る発明によれば、係合爪の大型化の防止を図り乍ら爪部の補強が可能となり、外部から衝撃が加わっても爪部の変形や折損等による不具合を確実に防止することができるので、釣糸平行巻き機構の常時安定した往復動機能を確保することが可能である。
【図面の簡単な説明】
【図１】請求項１に係る発明を適用したスピニングリールの一実施形態の要部切欠き正面図である。
【図２】トラバース機構の要部拡大正面図である。
【図３】トラバースカム軸のカム溝とこれに係合する係合爪の係合部分の断面図である。
【図４】係合爪の全体斜視図である。
【図５】図４のＶ−Ｖ線断面図である。
【図６】請求項１の他の実施形態に於けるトラバースカム軸のカム溝とこれに係合する係合爪の係合部分の断面図である。
【符号の説明】
１  フライヤ軸
７  リール本体
９  ロータ
１３  ピニオン
１５  ハンドル軸
１７  駆動歯車
１９  ハンドル
２７  スプール軸
２９  スプール
３１  トラバース機構
３７  トラバースカム軸
３９  カム溝
４１，４１−１  爪部
４１ａ  前端部
４１ｂ  後端部
４１ｃ  中心部
４１−１ａ，４１−１ｂ  肉厚部
４３，４３−１  係合爪
４５  摺動子
５１  釣糸巻回胴部
５３  スピニングリール
５５  保持部
５９  湾曲部
６１  傾斜部
【図１】
2004236595.tif 000003
【図２】
2004236595.tif 000004
【図３】
2004236595.tif 000005
【図４】
2004236595.tif 000006
【図５】
2004236595.tif 000007
【図６】
2004236595.tif 000008